(57)【要約】【課題】電線を効率的且つ適正に端子の下側サドルに配置することができる電線プレゼンテーション装置の提供。【解決手段】電線プレゼンテーション装置６０は、少なくとも１つの保護壁６２と、保護壁６２に回転可能に実装され、装填位置及び圧着位置間を配置可能な少なくとも１個のガイド部材８４，８６とを具備する。ガイド部材８４，８６は、装填位置にある端子のサドル内に電線を集めるよう構成される。保護壁６２は湾曲ガイドスロット７４を有し、ガイド部材８４，８６はスロット７４に近接して延びる。ばねがガイド部材８４，８６を装填位置へ付勢し、保護壁６２に対するガイド部材８４，８６の位置は調整可能である。ガイド部材８４，８６は輪郭外面を有する。輪郭外面はその中に調整可能な位置決め部材９０，８８に適合する平坦部を有する。ガイド部材８４，８６は、圧着位置に位置する場合、端子から離れて位置するよう構成される。【選択図】図３
2004349255.tif 000002
【特許請求の範囲】
【請求項１】
サドルを有する端子のための電線プレゼンテーション装置であって、
少なくとも１つの保護壁と、該保護壁に回転可能に実装され、装填位置及び圧着位置間を配置可能な少なくとも１個のガイド部材とを具備し、
該ガイド部材は、前記装填位置にある前記端子の前記サドル内に電線を集めるよう構成されることを特徴とする電線プレゼンテーション装置。
【請求項２】
前記保護壁は湾曲ガイドスロットを有し、
前記少なくとも１個のガイド部材は前記スロットに近接して延びることを特徴とする請求項１記載の電線プレゼンテーション装置。
【請求項３】
前記ガイド部材を前記装填位置に付勢するばねをさらに具備することを特徴とする請求項１記載の電線プレゼンテーション装置。
【請求項４】
前記保護壁に対する前記ガイド部材の位置は、調整可能であることを特徴とする請求項１記載の電線プレゼンテーション装置。
【請求項５】
前記少なくとも１個のガイド部材は、上側のガイド部材及び下側のガイド部材からなり、
該上側のガイド部材及び下側のガイド部材の少なくとも一方の位置は、前記保護壁に対して調整可能であることを特徴とする請求項１記載の電線プレゼンテーション装置。
【請求項６】
前記ガイド部材は、頭部と、該頭部から延びる鰭部とを有することを特徴とする請求項１記載の電線プレゼンテーション装置。
【請求項７】
前記少なくとも１個のガイド部材は、上側のガイド部材及び下側のガイド部材からなり、
該上側のガイド部材及び下側のガイド部材の各々は、輪郭案内面を有し、
該輪郭案内面の一方は凸状であり、該輪郭案内面の他方は凹状であることを特徴とする請求項１記載の電線プレゼンテーション装置。
【請求項８】
前記ガイド部材は輪郭外面を有し、
該輪郭外面はその中に調整可能な位置決め部材を収容する平坦部を有することを特徴とする請求項１記載の電線プレゼンテーション装置。
【請求項９】
前記ガイド部材は、前記圧着位置に位置する場合、前記端子から離れて位置するよう構成されることを特徴とする請求項１記載の電線プレゼンテーション装置。
【請求項１０】
サドルを有する電力スプライス端子のための電線プレゼンテーション装置であって、
互いにほぼ平行に延びて間に前記端子を挟むように所定距離だけ離れた第１及び第２保護壁と、
該第１及び第２保護壁間に宙吊りにされた少なくとも１個のガイド部材とを具備し、
該ガイド部材は、前記第１及び第２保護壁間に前記端子が配置される際に、前記端子の前記サドル内に電線を集めるよう構成され、
前記ガイド部材は、前記端子が圧着される際に、前記端子から離れて位置することが可能であることを特徴とする電線プレゼンテーション装置。
【請求項１１】
前記第１及び第２保護壁の各々は、ガイドスロットを有し、
前記ガイド部材は、前記ガイドスロットに近接して配置されていることを特徴とする請求項１０記載の電線プレゼンテーション装置。
【請求項１２】
前記第１及び第２保護壁に対する前記ガイド部材の位置は、マグネットワイヤの種々の直径に適合するよう調整可能であることを特徴とする請求項１０記載の電線プレゼンテーション装置。
【請求項１３】
前記第１及び第２保護壁間を延びる前保護壁及び上保護壁をさらに具備し、
該前保護壁及び上保護壁は、前記ガイド部材に導かれる開口を画定することを特徴とする請求項１０記載の電線プレゼンテーション装置。
【請求項１４】
前記ガイド部材は、頭部と、該頭部から延びる鰭部とを有することを特徴とする請求項１０記載の電線プレゼンテーション装置。
【請求項１５】
前記ガイド部材は輪郭案内面を有し、
前記第１及び第２保護壁はガイドスロットを有し、
前記輪郭案内面は前記スロット内へ延びていることを特徴とする請求項１０記載の電線プレゼンテーション装置。
【請求項１６】
前記少なくとも１個のガイド部材は、上側ガイド部材及び下側ガイド部材であり、
該上側ガイド部材及び下側ガイド部材の各々は、輪郭外面を有し、
該外面は、調整可能な位置決め部材に適合するための平坦部を有することを特徴とする請求項１０記載の電線プレゼンテーション装置。
【請求項１７】
リード線を受容する上側サドル及びマグネットワイヤを受容する下側サドルを有する電力スプライス端子のための電線プレゼンテーション装置であって、
互いにほぼ平行に延びて間に前記端子を挟むように所定距離だけ離れた第１及び第２保護壁と、
該第１及び第２保護壁間に宙吊りにされ、調整可能な距離で互いに離れた１対のガイド部材とを具備し、
該１対のガイド部材は、前記第１及び第２保護壁間に前記端子が配置される際に、前記端子の前記下側サドル内に電線を集めるよう構成され、
前記１対のガイド部材は、前記端子が圧着される際に、前記端子から離れて位置することが可能であることを特徴とする電線プレゼンテーション装置。
【請求項１８】
前記第１及び第２保護壁の各々は、ガイドスロットを有し、
前記第１及び第２ガイド部材は、前記ガイドスロットの互いに対向する両側に配置されていることを特徴とする請求項１７記載の電線プレゼンテーション装置。
【請求項１９】
前記装置は、前記第１及び第２保護壁間を延びる前保護壁及び上保護壁をさらに有し、
該前保護壁及び上保護壁は、前記ガイド部材に導く開口を画定することを特徴とする請求項１７記載の電線プレゼンテーション装置。
【請求項２０】
前記ガイド部材は、頭部と、該頭部から延びる輪郭鰭部とを有することを特徴とする請求項１７記載の電線プレゼンテーション装置。
【発明の詳細な説明】
【技術分野】
【０００１】
本発明は、コイル巻線用途の電力スプライス（接合）端子に関し、より詳細には、電力スプライス端子への電線の装填を容易にする電線プレゼンテーション（presentation）装置に関する。
【背景技術】
【０００２】
電磁石用電線（マグネットワイヤ）は、種々の電気装置用のコイル巻線を形成するために使用される。コイル巻線は、電力供給されると磁場を発生し、例えば電気モータのロータを駆動する電磁力を発生する。マグネットワイヤがモータのステータ内に取り付けられると、巻線は、ステータ巻線に電力供給されると、ロータを回転させる。巻線に電力を供給するためには、電力リード線をマグネットワイヤに結合するのに電力スプライス端子が使用されることがある。
【０００３】
電力スプライス端子のうち一タイプは、１本又は複数本のリード線を受容する上側サドルと、コイル巻線内に使用される多数のマグネットワイヤを受容する下側サドルとを具備する。複数本のリード線及びマグネットワイヤが端子の上側サドル及び下側サドルにそれぞれ装填されると、端子は圧着されて又は曲げられて電線を端子に固定する。下側サドルには、マグネットワイヤの絶縁体を突き破り、端子が圧着される際に下側サドル内で端子に電気的に接続する鋸歯状縁（セレーション）が形成される。リード線は、上側サドル内で圧着されてリード線を端子に電気的に接続する。従って、端子を介してリード線及びマグネットワイヤが電気的に接続される。
【０００４】
図１は、公知の電力スプライス端子１０を示す斜視図である。本発明は電力スプライス端子について説明されているが、複数の電線を受容する他のタイプの端子と共に使用することができると考えられる。従って、電力スプライス端子１０は、例示目的のみで本明細書に説明及び図示され、本発明は、電力スプライス端子１０等の特定の端子構造に限定されない。
【０００５】
電力スプライス端子１０は、導電材料から下側サドル１２と称されることがある下側通路及び上側サドル１４と称されることがある上側通路を一体的に形成される。下側サドル１２は、底壁１６と、底壁１６に対して鈍角で底壁１６から延びる、対向する側壁１８，２０とを有する。上側サドル１４は、下側サドル１２の一方の側壁２０から延びており、底壁２２と、底壁２２から所定角度で延びる、対向する側壁２４，２６とを有する。上側サドル１４の一方の側壁２６は、下側サドル１２の一方の側壁２０から連続して延びる。下側サドル１２及び上側サドル１４は特定距離で互いに分離されているので、それらサドル１２，１４間に間隙２８が形成される。また、上側サドル１４の底壁２２及び下側サドル１２の底壁１６は所定距離だけ離れており、それら底壁２２，１６間に間隙３０が形成される。
【０００６】
電力スプライス端子１０は、「オープンバレルピッグテール」端子として知られており、例えばタイコ・エレクトロニクス・コーポレーションから販売されている。使用の際、下側サドル１２は、間隙２８，３０内に多数のマグネットワイヤ（図１には図示せず）を受容し、上側サドル１４は、後述するようにリード線（図１には図示せず）を受容する。下側サドル１２は後述するように、その外面３４に、電力スプライス端子１０が圧着される際に下側サドル１２内に装填されるマグネットワイヤの絶縁体を突き破るセレーション３２を有する。
【０００７】
図２は、上側サドル１４にリード線４０が装填され、下側サドル１２に多数のマグネットワイヤ４２が装填された状態を示す電力スプライス端子１０の斜視図である。リード線４０は、絶縁体シース４６に囲まれた多数の導体４４を有する。絶縁体シース４６は上側サドル４６近傍でリード線４０から剥がされて（ストリップされて）いるので、電力スプライス端子１０が圧着されると、導体４４及び上側サドル１４間が電気的に接続される。圧着工程において、上側サドル１４は、ストリップされたリード線４０の周囲に曲げられる。
【０００８】
マグネットワイヤ４２は、下側サドル１２の一面に沿って下側及び上側サドル１２，１４間の間隙２８を通って下側サドル１２内に挿入され、下側及び上側サドル１２，１４の底壁１６，２２間の間隙３０に収められる。また、マグネットワイヤ４２は、エナメルコーティング等の外層すなわち絶縁体層を有する。下側サドル１２のセレーション３２は、電力スプライス端子１０が圧着されると、マグネットワイヤ４２の絶縁体及びコーティングを突き破ってマグネットワイヤ４２の導電部に接続する。圧着工程の間、下側サドル１２は、マグネットワイヤ４２をしっかりと保持して下側及び上側サドル１２，１４間の間隙２８，３０を閉鎖するよう曲げられる。
【０００９】
電力スプライス端子１０の圧着後、リード線４０は電源（図示せず）に結合され、電流はリード線４０から上側サドル１４に流れる。電流は、上側サドル１４から下側サドル１２に、そして最後は、例えば電気装置（図示せず）のコイル巻線を形成するマグネットワイヤ４２に流れる。或る用途では、８本のマグネットワイヤ４２及びリード線４０が、１人の作業者により電力スプライス端子１０内に装填されなければならず、電力スプライス端子１０は端子圧着ステーション（後述）で機械により自動的に圧着される。装填及び圧着工程の間、一作業者がワイヤ４０，４２を処理することは困難な作業である。電力スプライス端子１０は、リード線４０及びマグネットワイヤ４２と共に装填できるのと同じ速さで圧着することができる。このため、電線４０，４２が電力スプライス端子１０内に効率的に装填できなければ、電力スプライス端子１０を有する電気装置の製造作業が非効率な影響を受ける。さらに、電線４０，４２が適正に装填されていない場合、電力スプライス端子１０を介した電気接続の信頼性が低下し、関連する電気装置の作業性も低下するおそれがある。
【特許文献１】米国特許第３６９３２３０号明細書
【特許文献２】米国特許第４０８０７３１号明細書
【特許文献３】米国特許第５６２６１５２号明細書
【発明の開示】
【発明が解決しようとする課題】
【００１０】
電線を端子に装填する場合、上述の問題をはらんでいる。例えば、上述したような或る用途において、８本のマグネットワイヤがオープンバレルピッグテール端子の下側サドルに装填される。この多数のマグネットワイヤを効率的且つ正しく端子の下側サドルに配置することは、困難なことである。マグネットワイヤが効率的且つ適正に配置されない場合、端子を介した電気的接続に障害が発生し、関連する電気装置が適正に機能しなくなるおそれがある。
【課題を解決するための手段】
【００１１】
本発明の典型的な実施形態によれば、サドルを有する端子のための電線プレゼンテーション装置が提供される。この電線プレゼンテーション装置は、少なくとも１つの保護壁と、この保護壁に回転可能に実装され、装填位置及び圧着位置間を配置可能な少なくとも１個のガイド部材とを具備する。ガイド部材は、装填位置にある端子のサドル内に電線を集めるよう構成される。
【００１２】
任意であるが、保護壁は湾曲ガイドスロットを有し、少なくとも１個のガイド部材はスロットに近接して延びる。ばねがガイド部材を装填位置へ付勢し、保護壁に対するガイド部材の位置は調整可能である。ガイド部材は、頭部と、頭部から延びる鰭部とを有する。ガイド部材は輪郭外面を有し、輪郭外面はその中に調整可能な位置決め部材に適合する平坦部を有する。ガイド部材は、圧着位置に位置する場合、端子から離れて位置するよう構成される。
【００１３】
本発明の典型的な別の実施形態において、サドルを有する電力スプライス端子のための電線プレゼンテーション装置が提供される。この電線プレゼンテーション装置は、互いにほぼ平行に延びて間に端子を挟むように所定距離だけ離れた第１及び第２保護壁を具備する。少なくとも１個のガイド部材は、第１保護壁及び第２保護壁間に宙吊りにされた状態である。ガイド部材は、端子が第１保護壁及び第２保護壁間に配置されると、端子のサドル内に電線を集めるよう構成される。ガイド部材は、端子が圧着される際に、端子から離れて位置することが可能である。
【００１４】
本発明の典型的な別の実施形態において、リード線を受容するための上側サドルと、マグネットワイヤを受容するための下側サドルとを有する電力スプライス端子用電線プレゼンテーション装置が提供される。この電線プレゼンテーション装置は、互いにほぼ平行に延びて間に端子を挟むように所定距離だけ離れた第１及び第２保護壁を具備する。１対のガイド部材は、第１保護壁及び第２保護壁間に宙吊りされ、互いから調整可能な所定距離だけ離れる。このガイド部材の対は、端子が第１保護壁及び第２保護壁間に位置すると、端子の下側サドル内に電線を集めるよう構成され、端子が圧着される際に、端子から離れて位置することが可能である。
【発明を実施するための最良の形態】
【００１５】
以下、添付図面を参照して本発明の一実施形態を説明する。図３は、圧着作業性及び信頼性を改善するために、電力スプライス端子１０（図１及び図２参照）内への電線の装填を容易にする電線プレゼンテーション装置６０を示す斜視図である。電線プレゼンテーション装置６０は、左保護壁６２、右保護壁６４、前保護壁６６及び上保護壁６８を有する。取付ブラケット７０，７２が左保護壁６２及び右保護壁６４からそれぞれ延びているので、電線プレゼンテーション装置を自動圧着ステーション（後述）に設置可能である。保護壁６２〜６８は、電線プレゼンテーション装置６０を設置する際に、圧着ステーションの圧着領域の周囲に安全バリアを提供する。
【００１６】
左保護壁６２及び右保護壁６４はそれぞれガイドスロット７４，７６を有する。ガイドスロット７４，７６は、それぞれ左保護壁６２及び右保護壁６４の先端縁７８，８０から延び、左保護壁６２及び右保護壁６４の中心に向かう曲線路に沿って延びる。前保護壁６６及び上保護壁６８は、ガイドスロット７４，７６の近傍で左保護壁６２及び右保護壁６４の先端縁７８，８０に沿って互いに分離されている。従って、左保護壁６２、右保護壁６４、前保護壁６６及び上保護壁６８は、ガイドスロット７４，７６間の電線プレゼンテーション装置６０の前部を横断して延びるガイド開口８２を形成する。
【００１７】
ガイド部材８４，８６は、ガイドスロット７４，７６の各側であってガイド開口８２の各側の左保護壁６２及び右保護壁６４間に宙吊りにされている。ガイド部材８４，８６は、後述するように、電線４０，４２（図２参照）等の電線がガイドスロット７４，７６を貫通する際に、電線を電力スプライス端子１０の下側サドル１２に集める。調整ねじ８８，９０は、前保護壁６６及び上保護壁６８にそれぞれ設けられている。調整ねじ８８，９０は、異なる寸法及び数のマグネットワイヤ４２を収容するためにガイドスロット７４，７６に対するガイド部材８４，８６の位置を決める。
【００１８】
図４は、電線プレゼンテーション装置６０の分解斜視図である。ガイド部材８４，８６は、左保護壁６２及び右保護壁６４の開口１０６，１０８をそれぞれ貫通する管状シャフト１００，１０２上で左保護壁６２及び右保護壁６４間を宙吊りにされる。シャフト１００，１０２は、保持クリップ１０９で左保護壁６２及び右保護壁６４に固定される。ガイド部材８４，８６は頭部１１０，１１２をそれぞれ有し、穴１１４，１１６がシャフト１００，１０２をそれぞれ貫通するので、シャフト１００，１０２の周りの回動又は揺動を容易にする。ガイド部材８４，８６は、頭部１１０，１１２からそれぞれ延びる鰭部１１８，１２０をさらに有し、鰭部１１８，１２０は、それらの間にマグネットワイヤ４２（図２参照）の配置を容易にするよう湾曲する。
【００１９】
シャフト１００，１０２にはトーションばね１２２，１２４がそれぞれ設けられる。ばね１２２，１２４は、ガイド部材８４，８６の頭部１１０，１１２の一端からそれぞれ延びる平坦部１２６，１２８と干渉する。トーションばね１２２，１２４は、電線を装填するための装填位置にガイド部材８４，８６を付勢するが、後述する圧着位置の電力スプライス端子１０から離れてガイド部材８４，８６を配置することを可能にする。調整ねじ８８，９０の形態の位置決め部材は、前保護壁６６及び上保護壁６８を貫通する。ガイド部材８４，８６の頭部１１０，１１２の中心には、平坦部１３０，１３２がそれぞれ設けられる。調整ねじ８８，９０は平坦部１３０，１３２と係合し、左保護壁６２及び右保護壁６４に対して、より特定するとガイドスロット７４，７６に関して所望の方向にガイド部材８４，８６を配置する。
【００２０】
前保護壁６６はねじ１３４で左右の保護壁６２，６４に結合され、上保護壁６８はねじ１３６で左右の保護壁６２，６４に取り付けられる。しかし、本発明の別の実施形態では、保護壁６２〜６８を組み立てるために、ねじ１３４，１３６の代わりに他の取付部材及び枠組も使用できることが理解される。また、別の実施形態では、組み立てる部品の数を減少させるために、１以上の保護壁６２〜６８が一体的に形成されてもよいことが考えられる。
【００２１】
上保護壁６８は、傾斜した前端１３８を有する。傾斜した前端１３８は、電線プレゼンテーション装置６０が組み立てられると、左右の保護壁６２，６４の先端縁７８，８０間を延びる案内面１４０を形成する。
【００２２】
図５は、マグネットワイヤ４２（図２参照）を装填するための所定位置に位置するガイド部材８４，８６を示す電線プレゼンテーション装置６０の断面図である。鰭部１１８，１２０の各々は、左右の保護壁６２，６４のガイドスロット７４，７６内に延びるガイド面１５０，１５２をそれぞれ有する。電線がガイドスロット７４，７６間で且つガイド部材８４，８６間の電線プレゼンテーション装置６０内に挿入されると、ガイド面１５０，１５２が、ガイド部材８４，８６の鰭部１１８，１２０の端部に位置する電力スプライス端子１０（図１及び図２参照）内に電線を集める。調整ねじ８８，９０を廻すことにより、ガイド部材８４，８６がガイドスロット７４，７６内に延びる距離は、異なる寸法の電線を収容するために大きくしたり小さくしたりできる。例えば、ガイド部材８４，８６間の距離は調整ねじ８８，９０を操作することにより大きくしたり小さくしたりできるので、より大径又はより小径の電線をガイド部材８４，８６間に挿入することができる。
【００２３】
図５に図示されているように、一方の案内面１５０は凹状をなし、他方の案内面１５２は凸状をなし、案内面１５０，１５２は湾曲ガイドスロット７４，７６に近接して配置される。しかし、本発明の別の実施形態では、同一又は異なる形状の案内スロット７４，７６に関連した他の構成の案内面１５０，１５２を使用することができることが認められる。
【００２４】
図６は、装填位置にあり、明瞭にするためにガイド壁６２〜６８（図２ないし図５参照）を除いた電線プレゼンテーション装置６０を使用する端子圧着ステーション１６０の概略側面図である。端子圧着ステーション１６０は、ベース１６２及びラム組立体１６４を有するアプリケータ１６１を具備する。ラム組立体１６４は、クリンパ１６８を有しており、ベース１６２に対して接離可能に往復移動する。ラム組立体１６４は、プレス機械（図示せず）により駆動され、電線プレゼンテーション装置６０の左右の保護壁６２，６４間に置かれた電力スプライス端子１０を圧着する。
【００２５】
ガイド部材８４，８６は端子圧着ステーション１６０内の１個の電力スプライス端子１０に対して配置されるので、電線がガイド部材８４，８６間に挿入されると、ガイド部材８４，８６は、電力スプライス端子１０内に、より特定すると下側サドル１２（図１及び図２参照）内に電線を向ける。
【００２６】
図７は、圧着位置にあり、明瞭にするためにガイド壁６２〜６８（図２ないし図５参照）を除いた電線プレゼンテーション装置６０を示す端子圧着ステーション１６０の概略側面図である。電線４０，４２（図１参照）がガイド部材８４，８６直下の電力スプライス端子１０内に適正に装填されると、ラム組立体１６４は、クリンパ１６８が圧着位置の電力スプライス端子１０に接触するようにベース１６２上へ下降する。ラム組立体１６４は、ベース１６２に向かって下降するとガイド部材８４に接触し、ラム組立体１６４の経路から離れる方向へのばね１２２（図４参照）の付勢に抗してガイド部材８４を回転させる。次に、ガイド部材８４がガイド部材８６に接触し、ばね１２４（図４参照）の付勢に抗してラム組立体１６４の経路から離れる方向にガイド部材８６を回転させる。圧着位置において、両ガイド部材８４，８６は、電力スプライス端子１０から離れる方向であってガイド部材８４，８６が電力スプライス端子１０の圧着作業と干渉しないラム組立体１６４と平行な位置までシャフト１００，１０２の周りをそれぞれ回転する。
【００２７】
電力スプライス端子１０が一旦圧着されると、ラム組立体１６４はベース１６２から離れる方向に上昇し、ガイド部材８４，８６はラム組立体１６４から解放される。一旦解放されると、ばね１２２，１２４が図６に示される装填位置に戻る。別の電力スプライス端子１０が電線プレゼンテーション装置６０内に配置される場合、同じガイド部材８４，８６を使用して電線を装填することができ、圧着工程を繰り返すことができる。
【００２８】
ガイド部材８４，８６のおかげで電線プレゼンテーション装置６０は、電線を有する電力スプライス端子１０の効率的で正確な装填を促進する。端子の装填は簡単になり、圧着作業中の作業者のミスは減少する。従って、信頼性の高い端子接続が効率的な圧着工程で達成される。
【００２９】
種々の特定実施形態により本発明を説明したが、特許請求の範囲に記載された本発明の真髄及び範囲内で変形することが可能であることは当業者には理解されよう。
【図面の簡単な説明】
【００３０】
【図１】複数の電線が装填される公知の電力スプライス端子を示す斜視図である。
【図２】電線及びマグネットワイヤが装填された図１の端子を示す斜視図である。
【図３】本発明の一実施形態に従った、図１の端子内への電線の装填を容易にするための電線プレゼンテーション装置を示す斜視図である。
【図４】図３の電線プレゼンテーション装置の分解斜視図である。
【図５】図３の５−５線に沿った電線プレゼンテーション装置の断面図である。
【図６】装填位置にある図３ないし図５に示される電線プレゼンテーション装置を使用する端子圧着ステーションの概略側面図である。
【図７】圧着位置にある図６の端子圧着ステーションの概略側面図である。
【符号の説明】
【００３１】
１０    端子
１２    下側サドル
１４    上側サドル
４０    リード線
４２    マグネットワイヤ（電線）
６０    電線プレゼンテーション装置
６２    左保護壁
６４    右保護壁
６６    前保護壁
６８    上保護壁
７４，７６  湾曲ガイドスロット
８２    ガイド開口
８４，８６  ガイド部材
８８，９０  調整ねじ（位置決め部材）
１１０，１１２  頭部
１１８，１２０  鰭部
１２２，１２４  ばね
１３０，１３２  平坦部
【図１】
2004349255.tif 000003
【図２】
2004349255.tif 000004
【図３】
2004349255.tif 000005
【図４】
2004349255.tif 000006
【図５】
2004349255.tif 000007
【図６】
2004349255.tif 000008
【図７】
2004349255.tif 000009